(57)【要約】【課題】浴室のリフォームの際、リフォーム前の床梁材をそのまま用いて新たな浴室防水パンを支持する。【解決手段】浴室の旧浴室防水パンを撤去する一方、旧浴室防水パンを支えていた床梁材５ａ，５ｂを残置する。新たな浴室防水パン２の底面に沿う支持脚１０を床梁材５ａ，６ｂと交差するように延在又は配列させて、支持脚１０を介して新たな浴室防水パン２を床梁材５ａ，５ｂに支持させる。【選択図】図１
2019157451.tif 000002
【特許請求の範囲】
【請求項１】
浴室における複数の床梁材上に設置される浴室防水パンと、
前記浴室防水パンの底面に沿って設けられた支持脚と、を備え、
前記支持脚が、前記複数の床梁材の少なくとも１つと交差するように延在又は配列されていることを特徴とする浴室構造。
【請求項２】
前記支持脚が、並行する床梁材間に跨るように延びていることを特徴とする請求項１に記載の浴室構造。
【請求項３】
前記支持脚が、前記１つの床梁材と交差する向きに互いに近接して並べられた複数の脚部を含むことを特徴とする請求項１に記載の浴室構造。
【請求項４】
浴室をリフォームする方法であって、
前記浴室の旧浴室防水パンを撤去する一方、前記旧浴室防水パンを支えていた床梁材を残置し、
新たな浴室防水パンの底面に沿って設けられた支持脚が前記床梁材と交差するように延在又は配列されるようにして、前記支持脚を介して前記新たな浴室防水パンを前記床梁材に支持させることを特徴とする浴室リフォーム方法。
【発明の詳細な説明】
【技術分野】
【０００１】
本発明は、浴室構造及び浴室リフォーム方法に関し、特にリフォーム前の床梁及び床小梁などの床梁材をそのまま用いてリフォームされた浴室構造及び浴室リフォーム方法に関する。
【背景技術】
【０００２】
一般に戸建て建物の浴室を新築する際は、基礎上に床梁及び床小梁などの床梁材が架設され、該床梁材上に複数の支持脚を介して浴室防水パンが設置される。各支持脚が床梁材上にちょうど載るように設計され施工される。浴室防水パン上に浴槽が設置される。
【先行技術文献】
【特許文献】
【０００３】
【特許文献１】特開２０１３−２０９８５３号公報
【発明の概要】
【発明が解決しようとする課題】
【０００４】
リフォームの際、浴室底部の床梁材をも解体撤去して設置し直すことにすると、該床梁材を構成する鉄骨の切断、撤去、廃棄、新規の床梁材設置などの作業が必要であり、大掛かりな工事になり、騒音が発生し、工期が長くなり、費用が嵩む。一方、リフォーム前の床梁材を残置して、その上に新たな浴室防水パンを設置することにすると、新たな浴室防水パンに対応する支持脚の位置がリフォーム前の床梁材に対応せず、支持脚を床梁材に載せられなくなることが有り得る。支持脚が床梁材からずれていた場合、傾斜や撓み等の変形、異音、その他の品質上の問題が発生することが考えられる。
本発明は、かかる事情に鑑み、浴室のリフォームの際、リフォーム前の床梁や床小梁などの床梁材を撤去しなくても、該床梁材に支持脚を確実に載せることができ、ひいては支持脚を介して浴室防水パンを確実に支持可能とすることを目的とする。
【課題を解決するための手段】
【０００５】
前記課題を解決するために、本発明に係る浴室構造は、
浴室における複数の床梁材上に設置される浴室防水パンと、
前記浴室防水パンの底面に沿って設けられた支持脚と、を備え、
前記支持脚が、前記複数の床梁材の少なくとも１つと交差するように延在又は配列されていることを特徴とする。
【０００６】
当該浴室構造はリフォーム後の浴室構造として適している。リフォームの際は、好ましくはリフォーム前の床梁や床小梁等の床梁材を残置する。リフォーム前の床梁材を撤去せずにそのまま用いることによって、施工を簡素化でき、騒音の発生を抑制でき、工期を短縮でき、リフォーム費用を低減できる。前記残置した床梁材と交差するように支持脚を延在又は配列させる。これによって、支持脚の少なくとも一部が床梁材の直上に配置される。したがって、リフォーム前の床梁材の配置状況に拘わらず、支持脚を介して浴室防水パンを安定的に支持できる。この結果、浴室防水パンの傾斜や撓み等の変形、異音、その他の品質上の問題が発生するのを防止できる。
【０００７】
前記支持脚が、並行する床梁材間に跨るように延びていることが好ましい。
支持脚は少なくとも２箇所で床梁材と交差される。これによって、浴室防水パンを一層安定的に支持できる。
【０００８】
前記支持脚が、前記１つの床梁材と交差する向きに互いに近接して並べられた複数の脚部を含んでいてもよい。
複数の脚部の少なくとも一部が床梁材の直上に配置されることによって、浴室防水パンを安定的に支持できる。
【０００９】
本発明方法は、浴室をリフォームする方法であって、
前記浴室の旧浴室防水パンを撤去する一方、前記旧浴室防水パンを支えていた床梁材を残置し、
新たな浴室防水パンの底面に沿って設けられた支持脚が前記床梁材と交差するように延在又は配列されるようにして、前記支持脚を介して前記新たな浴室防水パンを前記床梁材に支持させることを特徴とする。
【発明の効果】
【００１０】
本発明によれば、浴室のリフォームの際、リフォーム前の床梁や床小梁等の床梁材を撤去しなくても、該床梁材に支持脚を載せることができ、ひいては支持脚を介して浴室防水パンを安定的に支持することができる。
【図面の簡単な説明】
【００１１】
【図１】図１は、本発明の第１実施形態に係るリフォーム後の浴室を床梁構造の上面付近の高さから見た解説平面図である。
【図２】図２は、図１のＩＩ−ＩＩ線に沿う解説断面図である。
【図３】図３は、図２のＩＩＩ−ＩＩＩ線に沿う解説断面図である。
【図４】図４は、前記浴室の支持脚、台板及び床梁構造の斜視図である。
【図５】図５は、浴室をリフォームする建物の変形例を示し、複数の建物ユニットを含むユニット建物の斜視図である。
【図６】図６は、本発明の第２実施形態に係るリフォーム後の浴室を床梁構造の上面付近の高さから見た解説平面図である。
【図７】図７は、図６のＶＩＩ−ＶＩＩ線に沿う断面を９０度回転させた解説断面図である。
【図８】図８は、前記第２実施形態に係る浴室の支持脚、台板及び床梁構造の斜視図である。
【発明を実施するための形態】
【００１２】
以下、本発明の実施形態を図面にしたがって説明する。
＜第１実施形態（図１〜図４）＞
図１〜図３は、例えば戸建て住宅におけるリフォーム後の浴室１を簡略的に示したものである。浴室１は、浴室防水パン２の他、図示しない壁パネルおよび天井パネルを含むユニットバスになっている。詳細な図示は省略するが、浴室防水パン２は、浴槽受けパンと、洗い場パンを含んでいる。浴槽受けパン上には浴槽（図示せず）が設置される。洗い場パンによって洗い場が構成される。例えば洗い場パンは、発泡樹脂からなるパン本体と、該パン本体の底面及び上面にそれぞれ被さる鋼板製の補強板を含むサンドイッチ構造になっている。
【００１３】
図２〜図４に示すように、前記浴室防水パン２を含むユニットバスが、支持脚１０及び台板４を介して床梁構造５上に載せられて支持されている。床梁構造５は、リフォーム前のものが撤去されずにそのまま用いられている。図１に示すように、床梁構造５は、床梁材として、浴室１の周囲の基礎Ｂ（図３の二点鎖線）上に水平に架け渡された床梁５ａと、対向する床梁５ａ間に水平に架け渡された複数（図１では２つ）の床小梁５ｂとを含む。これら床梁材５ａ，５ｂは、Ｈ鋼などの鉄骨によって構成されている。複数の床小梁５ｂどうしは各々の架け渡し方向と直交する方向に離れて並べられている。
【００１４】
図５に示すように、浴室１の床梁構造５が、工場製作の建物ユニット３の床部分によって構成されていてもよい。建物ユニット３は、床部分の床梁５ａ及び床小梁５ｂに加えて、柱３ｃ及び天井梁３ｄからなる直方体形状のボックスラーメン構造の鉄骨フレーム３ｆを含む。複数の建物ユニット３，３Ｂ，…が組み合わさってユニット建物３Ｘが構築されている。１つの建物ユニット３の長手方向の一部分に浴室１が設けられている。当該建物ユニット３の長手方向の残り部分３ｅは、浴室１以外の室として用いられている。なお、図５においては、残り部分３ｅの床部分の床小梁などの図示は省略されている。
建物ユニット３の鉄骨フレーム３ｆは、リフォーム後においてもリフォーム前のものが撤去されずにそのまま用いられていることが好ましい。
【００１５】
図２〜図４に示すように、床梁構造５上に台板４が敷設されている。台板４は、例えば厚み十数ｍｍ程度の木製合板によって構成されている。
浴室防水パン２の底面に複数（図では２つ）の長尺の支持脚１０が設けられている。
これら支持脚１０が台板４に載せられることによって、浴室防水パン２が水平に支持されている。図３に示すように、浴室防水パン２の高さ位置は、洗面室床６の高さに合わせて設定されている。
なお、台板４の大きさは、浴室１の設置領域全面とほぼ同じであってもよい。或いは、支持脚１０の配置場所及びその周辺部だけに台板４が設置されていてもよい。
【００１６】
図２及び図４に示すように、各支持脚１０は、例えば一対の側板１３と底板１４を有するＵ字形状等の一定断面に形成され、浴室防水パン２の底面に沿う一方向に直線状に延びている。側板１３の上端の連結フランジ１５が浴室防水パン２の底部にボルト締め等によって取付けられている。
【００１７】
図１及び図３に示すように、支持脚１０は、床梁構造５の各床小梁５ｂと交差するように延在され、並行する複数の床小梁５ｂ間に跨っている。複数の支持脚１０どうしが、床小梁５ｂの延び方向（図１の左右方向）に互いに離れて平行に並べられている。
【００１８】
浴室をリフォームする際は、旧浴槽及び旧洗い場（共に図示せず）を撤去する。一方、これら旧浴槽及び旧洗い場を支えていた床梁構造５の床梁材５ａ，５ｂは撤去せずにそのまま残置する。前記ユニット建物３Ｘ（図５）においては、床梁材５ａ，５ｂを含む鉄骨フレーム３ｆの全体を撤去せずにそのまま用いることが好ましい。
該床梁材５ａ，５ｂ上に新たな台板４を敷設する。以後、作業者は台板４上で作業することができ、各床梁材５ａ，５ｂ上を渡ったり床梁材５ａ，５ｂを跨いだりする必要が無い。
【００１９】
新たな浴室防水パン２の底部には支持脚１０を設ける。
該浴室防水パン２を台板４上に配置して、支持脚１０を台板４に着座させることで、浴室防水パン２を台板４及び支持脚１０を介して床梁構造５に支持させる。支持脚１０は、床梁構造５の並行する床小梁５ｂ間に跨り、少なくとも２箇所で床小梁５ｂと交差される。したがって、リフォーム前の床梁材５ａ，５ｂの配置状況に拘わらず、浴室防水パン２を安定的に支持できる。残置した床梁材５ａ，５ｂの配置状況を測定しておく必要はなく、浴室リフォームの施工を簡易化できる。
リフォーム後の浴室においては、浴室防水パン２が安定的に支持されることによって、浴室防水パン２の傾斜や撓み等の変形、異音、その他の品質上の問題が発生するのを防止できる。
【００２０】
次に、本発明の他の実施形態を説明する。以下の実施形態において既述の形態と重複する構成に関しては  図面に同一符号を付して説明を省略する。
＜第２実施形態＞
図６〜図８は、本発明の第２実施形態を示したものである。
第２実施形態の浴室１Ｂにおいては、前記長尺支持脚１０に代えて、複数の短尺の支持脚１１，１２が用いられている。図７に示すように、各支持脚１１，１２は、例えば幅方向に対向する一対の側板１３Ｂと底板１４Ｂを有するＵ字形状に形成されている。支持脚１１，１２の前記幅方向と直交する長さ寸法は、幅寸法と同程度であり、第１実施形態（図２）の長尺支持脚１０の長さと比べて十分に短い。
なお、支持脚１１，１２の断面形状は、支持脚１０の断面形状と必ずしも同じである必要はなく、適宜改変できる。
【００２１】
図６及び図８に示すように、複数の支持脚１１，１２が数個（図では２つ）ずつの組になって浴室防水パン２の底部の各所（例えば四隅近く）に配置されている。各組の支持脚１１，１２どうしは、床梁材と交差するように配列されている。詳しくは、支持脚１１，１２どうしは、床小梁５ｂと交差する向き（図７において左右）に互いに近接して並べられている。
【００２２】
第２実施形態において、浴室リフォームの際、新たな浴室防水パン２を支持脚１１，１２及び台板４を介して床梁構造５上に載せると、各組の支持脚１１，１２のうち少なくとも一部の支持脚１１が、床梁材５ａ，５ｂの直上に配置されるようにできる。これによって、浴室防水パン２を安定的に支持できる。
逆に言うと、支持脚１１，１２を浴室防水パン２の底部に取付ける際に、残置した床梁材５ａ，５ｂの配置状況を正確に測定して取付位置を正確に決める必要がなく、床梁材５ａ，５ｂのある程度の配置状況が把握されていればよい。これによって、浴室リフォームの施工を簡易化できる。
他の支持脚１２は、床梁材５ａ，５ｂからずれて配置されるが、支持脚１１と同様に台板４上に載せられる。したがって、支持脚１２がフリーになるのを防止できる。
【００２３】
本発明は、前記実施形態に限定されるものではなく、その趣旨に反しない限りにおいて種々の改変をなすことができる。
例えば、浴室防水パン２に長尺支持脚１０と短尺支持脚１１，１２の両方を組み合わせて設けてもよい。
台板４を省略してもよい。
浴室はシャワー室を含む。
浴室防水パン２は、浴槽受けパンがなく洗い場パンだけであってもよい。
リフォームの際、床梁構造５の必ずしも全部の床梁材５ａ，５ｂを残置する必要はない。劣化・損傷が進んだ床梁材１１，１５については撤去して取り替えることにしてもよい。
【産業上の利用可能性】
【００２４】
本発明は、例えば戸建て建物の浴室リフォームに適用可能である。
【符号の説明】
【００２５】
１          浴室
２          浴室防水パン
４          台板
５          床梁構造
５ａ        床梁（床梁材）
５ｂ        床小梁（床梁材）
６          洗面室床
１０        支持脚
１１，１２  支持脚
１３，１３Ｂ    側板
１４，１４Ｂ    底板
１５      連結フランジ
【図１】
2019157451.tif 000003
【図２】
2019157451.tif 000004
【図３】
2019157451.tif 000005
【図４】
2019157451.tif 000006
【図５】
2019157451.tif 000007
【図６】
2019157451.tif 000008
【図７】
2019157451.tif 000009
【図８】
2019157451.tif 000010